(57)【要約】  本発明は、横断方向配置のレーザー受信機１２に入射する受信ビーム２４と、回転レーザー装置１１により垂直位置で回転軸２１の周りを進行する回転レーザービーム２２と、を比較するための方法であって、レーザー受信機１２は評価装置と、長手方向２８及び横断方向２９を有する少なくとも１つの検出フィールド２５とを備える。回転レーザー装置１１は、回転軸１５の周りで調整可能な回転プラットフォーム１４に配置され、回転レーザービーム２２が形成する垂直レーザー面は回転プラットフォーム１４により回転軸１５の周りで回転方向１６に動かされる。検出フィールド２５の長手方向２８において、レーザー受信機１２に対する受信ビーム２４の調整方向が評価装置により特定され、受信ビーム２４の調整方向と回転プラットフォーム１４の回転方向１６とが評価装置により比較される。【選択図】図１
2019519788.tif 000002
【特許請求の範囲】
【請求項１】
レーザー受信機（１２）に入射する受信ビーム（２４）と、回転レーザー装置（１１）から回転軸（２１）の周りを進行する回転レーザービーム（２２）と、を比較するための方法であって、前記レーザー受信機（１２）は評価装置と、長手方向（２８）及び横断方向（２９）を有する少なくとも１つの検出フィールド（２５）とを備え、
前記回転レーザー装置（１１）は、回転プラットフォーム（１４）上で前記回転プラットフォーム（１４）の回転軸（１５）の周りで調整されて配置され、前記回転レーザー装置（１１）の回転軸（２１）は重力場の重力方向（２７）と垂直に向き、前記回転プラットフォーム（１４）の前記回転軸（１５）は前記重力場の前記重力方向（２７）と平行に向けられる工程と、
前記レーザー受信機（１２）は横断方向に配置され、前記横断方向の配置において、前記少なくとも１つの検出フィールド（２５）の長手方向（２８）は前記重力方向（２７）と垂直に向けられ、前記少なくとも１つの検出フィールド（２５）の横断方向（２９）は前記重力方向（２７）と平行に向けられる工程と、
前記回転レーザー装置（１１）が前記回転プラットフォーム（１４）上で前記回転軸（１５）の周りの回転方向（１６）に調整されるのは、少なくとも前記受信ビーム（２４）が前記レーザー受信機（１２）の前記少なくとも１つの検出フィールド（２５）に入射するまで、である工程と、
前記少なくとも１つの検出フィールド（２５）の前記長手方向（２８）において、前記評価装置により前記レーザー受信機（１２）に対する前記受信ビーム（２４）の調整方向（６３、７３）が特定される工程と、
前記評価装置（４８）により、前記受信ビーム（２４）の前記調整方向が前記回転プラットフォーム（１４）の前記回転方向（１６）と比較される工程と
を備える方法。
【請求項２】
前記評価装置（４８）により、第１の時点（ｔ１）における前記少なくとも１つの検出フィールド（２５）での前記受信ビーム（２４）の第１の入射位置（６１、７１、８１）は第１の高さ位置（Ｈ１）として、後の時点（ｔ２）における第２の入射位置（６２、７２、８２）は第２の高さ位置（Ｈ２）として、記憶保存され、前記受信ビーム（２４）の前記調整方向（６３、７３）は前記評価装置（４８）により前記第１及び第２の高さ位置（Ｈ１、Ｈ２）から判定される、ことを特徴とする請求項１に記載の方法。
【請求項３】
前記受信ビーム（２４）の前記第１及び第２の高さ位置（Ｈ１、Ｈ２）が実質的に一致する場合に、前記受信ビーム（２４）は前記評価装置（４８）により外部からのビームとして分類される、ことを特徴とする請求項２に記載の方法。
【請求項４】
前記受信ビーム（２４）の前記第１及び第２の高さ位置（Ｈ１、Ｈ２）が異なる場合に、前記受信ビーム（２４）の前記調整方向（６３、７３）が前記評価装置（４８）により判定される、ことを特徴とする請求項２に記載の方法。
【請求項５】
前記受信ビーム（２４）の前記調整方向（６３）と前記回転プラットフォーム（１４）の前記回転方向（１６）が同じ方向である場合に、前記受信ビーム（２４）は前記評価装置（４８）により回転レーザービーム（２２）と分類される、ことを特徴とする請求項４に記載の方法。
【請求項６】
前記レーザー受信機（１２）は前記評価装置（４８）により測定モードに切り替わり、前記受信ビーム（２４）の位置は前記測定モードで判定される、ことを特徴とする請求項５に記載の方法。
【請求項７】
前記受信ビーム（２４）の前記調整方向（７３）と前記回転プラットフォーム（１４）の前記回転方向（１６）が反対方向である場合に、前記受信ビーム（２４）は前記評価装置（４８）により反射レーザービームとして分類される、ことを特徴とする請求項４に記載の方法。
【請求項８】
前記回転レーザービーム（２２）は、角度（φ）が３６０°未満の垂直レーザー面（３９）を形成する、ことを特徴とする請求項１に記載の方法。
【請求項９】
前記回転レーザービーム（２２）は、前記回転レーザー装置（１１）の前記回転軸（２１）の周りを回る回転方向（２３）に３６０°進行し、前記回転レーザービーム（２２）は前記角度（φ）内でスイッチが入り、前記角度（φ）外ではスイッチが切れている、ことを特徴とする請求項８に記載の方法。
【請求項１０】
前記回転レーザービーム（２２）は、前記角度（φ）内で前記回転軸（２１）の周りを交互の回転方向（２３）に前進及び後進する、ことを特徴とする請求項８に記載の方法。
【請求項１１】
前記回転レーザービーム（２２）は、前記回転レーザー装置（１１）の前記回転軸（２１）の周りを回る回転方向（２３）に３６０°進行し、前記３６０°の角度は第１及び第２の角度範囲に再分割され、前記第１及び第２の角度範囲の前記回転レーザービーム（２２）は１つ又は複数のビーム特性により区別される、ことを特徴とする請求項１に記載の方法。
【請求項１２】
前記回転レーザービーム（２２）は変調信号で変調され、前記第１の角度範囲では第１の変調信号が、前記第２の角度範囲では前記第１の変調信号とは異なる第２の変調信号が用いられる、ことを特徴とする請求項１１に記載の方法。
【請求項１３】
回転軸（２１）の周りを回転方向（２３）に回転するレーザービーム（２２）を発し、回転軸（１５）の周りで調整が可能な回転プラットフォーム（１４）に設置された回転レーザー装置（１１）と、評価装置（４８）と少なくとも１つの検出フィールド（２５）とを有するレーザー受信機（１２）とを備えた、請求項１乃至１２の何れか１つに記載の方法を実施するための装置（１０）。
【請求項１４】
前記レーザー受信機（１２）は、前記重力方向（２７）に対する前記レーザー受信機（１２）の傾斜を計測する傾斜センサ（５２）を有する、ことを特徴とする請求項１３に記載の装置。
【請求項１５】
前記回転プラットフォーム（１４）と前記レーザー受信機（１２）とは通信接続経由で通信のために接続することができ、前記レーザー受信機（１２）の前記評価装置（４８）と前記回転プラットフォーム（１４）の制御装置との通信が実現する、ことを特徴とする請求項１３又は１４に記載の装置。
【発明の詳細な説明】
【技術分野】
【０００１】
本発明は、請求項１の前文に記載の、レーザー受信機に入射する受信ビームと回転レーザービームとを比較するための方法と、請求項１３の前文に記載のその方法を実行する装置に関する。
【背景技術】
【０００２】
回転レーザー装置は、屋内及び屋外でのレベリング及びマーキング作業に用いられる。係る作業では、対象となる面に水平方向、垂直方向、若しくは対角線方向のレーザーマーキングを表示する、又は水平高角度、垂直方向線、視座線及び垂直点を判定及び検証する作業がある。回転レーザー装置は、水平位置及び垂直位置といった様々な装置位置に配置することができる。ここでは、水平位置のみで用いられる水平方向で使用可能な回転レーザー装置と水平及び垂直位置で用いられる水平及び垂直方向で使用可能な回転レーザー装置とは区別される。
【０００３】
ゴーグル等の保護手段なしで使用可能な回転レーザー装置では、許容されるレーザー出力は限定される。屋外でのレベリング及びマーキング作業の際、許容されるレーザー出力によりレーザービーム見えないか又は視認性が低下することが多い。レーザービームの視認性を改善するに、ターゲット板又はレーザー受信機はレーザービームに向けて保持される。レーザー受信機は、作業者が携帯型の機器としてレーザービームに直接合わせて保持されるか、テレスコピック又はレベリングロッドに取り付けられる。レーザー受信機には高さ測定機能を装備できる。この高さ測定機能は、レーザー受信機の検出フィールドでの受信ビームの到達位置を検出し、高さ位置としての受信ビームから検出フィールドのゼロ位置までの距離を示す。高さ測定機能を有する既知のレーザー受信機は、評価装置と、長手方向及び横断方向の少なくとも１つの検出フィールドとを備える。レーザー受信機は、回転レーザー装置の装置位置に対応して、長手方向配置又は横断方向配置に向けられる。水平位置にある回転レーザー装置では、検出フィールドの長手方向が重力方向と平行に方向付けられる（横断方向配置）。
【０００４】
レベリング及びマーキング作業の際、外部からの放射又は回転レーザービームの反射により測定値が不正確になる。レーザー受信機に入射する受信ビームと回転レーザービームとを比較する様々な方法が知られている。レーザー受信機による不正確な測定の危険性を低減するため、回転レーザー装置の回転レーザービームを変調信号で変調することが知られている。レーザー受信機に入射する受信ビームがレーザー受信機の評価装置に評価され、受信ビームが変調信号で変調されている場合には回転レーザービームとして分類される。欠点は、回転レーザービームの反射面からの反射が評価装置により検出されないことである。反射レーザービームも変調信号により変調されているから、レーザー受信機の評価装置により回転レーザービームとして分類されてしまう。
【０００５】
特許文献１は、レーザー受信機に入射する受信ビームと回転レーザー装置により発せられる回転レーザービームとを比較するもう１つの既知の方法を開示している。レーザー受信機は、複数の光検出器アレイが長手方向に配置された検出フィールドを備える。光検出器アレイはそれぞれ、長手方向に配置された複数の光検出器を備える。受信ビームが検出フィールドに入射すると、評価装置は各光検出器アレイの第１及び第２の参照信号を特定する。これら第１及び第２の参照信号は、受信ビームに検出される光検出器アレイの外部光検出器の振幅を表す。参照信号には、評価装置により、足し算、引き算、及び割り算のための処理が実行され、評価のための数字が算出される。この数字は、予め設定された制限値と比較される。数字が制限値より小さい場合、受信ビームはレーザービーム（「移動するレーザー光の細いビーム」）と分類される。数字が制限値より大きい場合、受信ビームは外部からのビーム（「無指向性の光パルス」）と分類される。
【０００６】
別のレーザー受信機に入射する受信ビームと回転レーザービームを比較するための方法は特許文献２から既知である。レーザー受信機は、複数の光検出器が長手方向に配置された検出フィールドと追加の光検出器とを備える。受信ビームがレーザー受信機に入射し捉えられると、評価装置は第１、第２、及び第３の参照信号を特定する。第１の参照信号は受信ビームが捉える第１の外部光検出器の電気出力を、第２の参照信号は受信ビームが捉える第２の外部光検出器の電気出力を、第３の参照信号は追加の光検出器の電気出力を表す。第３の参照信号に基づき、受信ビームの評価が行われる。第３の参照信号の振幅が十分に低い場合、受信ビームは回転レーザー装置のレーザービームとして分類される。しかし、第３の参照信号の振幅が十分に高い場合、受信ビームは外部からのビーム（「無指向性の光パルス」）として分類される。
【０００７】
レーザー受信機に入射する受信ビームと回転レーザー装置の回転レーザービームとを比較する手順に係る特許文献１及び特許文献２の方法の欠点は、回転レーザービームの反射面からの反射がレーザー受信機の評価装置に検出されず、誤って回転レーザービームとして分類されることである。反射面での回転レーザービームの反射によっては、参照信号の振幅が変化しないか又は少ししか変化せず、受信ビームの評価基準に影響を与えない。
【先行技術文献】
【特許文献】
【０００８】
【特許文献１】米国特許第７１１９３１６号明細書
【特許文献２】米国特許第７２２４４７３号明細書
【発明の概要】
【発明が解決しようとする課題】
【０００９】
本発明の目的は、レーザー受信機に入射する受信ビームと回転レーザービームとを比較するための方法であって、反射面での回転レーザービームの反射により測定値に不正確さが生じる危険性を低減する方法を提供することである。さらに、本発明の方法はほぼ自動的な実行に適すべきものである。
【課題を解決するための手段】
【００１０】
この目的は、独立項１の技術的特徴によりレーザー受信機に入射する受信ビームと回転レーザービームとを比較する本発明の方法、及び独立項１３の技術的特徴によりかかる方法を実施する上述の本発明の装置により達成される。さらなる優位性のある技術的特徴は、従属項に記載されている。
【００１１】
本発明において、レーザー受信機に入射する受信ビームと回転レーザー装置により回転軸周りを回転して進行する回転レーザービームとを比較するための方法であって、このレーザー受信機は評価装置と、長手方向及び横断方向を有する少なくとも１つの検出フィールドとを備える。この方法は以下の工程を備える。
回転レーザー装置は、回転軸の周りで調整が可能な回転プラットフォームに配置され、回転レーザー装置の回転軸は重力場の重力方向に実質的に垂直に向けられ、回転プラットフォームの回転軸は重力場の重力方向に実質的に平行に向けられる。
レーザー受信機は横断方向配置に方向付けられ、この横断方向配置において、少なくとも１つの検出フィールドの長手方向は重力方向と実質的に垂直に向けられ、少なくとも１つの検出フィールドの横断方向は重力方向と実質的に平行に向けられる。
少なくとも受信ビームがレーザー受信機の少なくとも１つの検出フィールドに入射するまで、回転レーザー装置が回転プラットフォームで回転軸周りの回転方向に調整される。
少なくとも１つの検出フィールドの長手方向において、評価装置によりレーザー受信機に対する受信ビームの調整方向が特定される。
この受信信号の調整方向は、評価装置によって回転プラットフォームの回転方向と比較される。
【００１２】
受信信号と回転レーザービームとを比較するための本発明の方法は、調整可能な回転プラットフォームの垂直位置に配置される回転レーザー装置及び横断方向配置に方向付けられるレーザー受信機に適している。回転レーザー装置の垂直位置及びレーザー受信機の横断方向配置は重力場の重力方向に対する構成要素の向きにより定義され、この重力方向は地球の重心に向いている。構成要素の向きは、以下のようになる。回転レーザー装置の回転軸及び検出フィールドの長手方向は重力方向と垂直に方向付けられ、回転プラットフォームの回転軸及び検出フィールドの横断方向は重力方向と平行に向けられ、回転レーザービームは、重力方向と平行に位置する垂直レーザー面を形成する。横断方向配置におけるレーザー受信機の傾きは、本発明の方法を実行するうえで問題ではない。傾いたレーザー受信機であっても、レーザー受信機に対する受信器ビームの調整方向はレーザー受信機の評価装置によって特定され、回転プラットフォームの回転方向と比較することができる。
【００１３】
評価装置は調整方向に基づき受信ビームを評価し、回転レーザービームと反射された回転レーザービームと、そして回転しない外部からのビームとを区別する。本発明の方法により、回転レーザービームの反射面での反射が検出できるうえ、回転軸の周りを回らない外部からのビームを回転レーザービームから区別することができる。回転しない外部からのビームについては、評価装置はレーザー受信機に対する受信ビームのいかなる調整方向も特定することができない。受信ビームの調整方向と回転プラットフォームの回転方向とを比較することにより、回転レーザービームの反射面での反射は評価装置により検出することができる。回転プラットフォームは、所定の回転方向に回転レーザー装置を回転軸の周りに移動させる。回転レーザービームが反射面での反射後にレーザー受信機に受信ビームとして入射する場合、受信ビームの調整方向は回転プラットフォームの既知の回転方向とは反対になる。本発明の方法は、既知の回転レーザー装置、回転プラットフォーム、及びレーザー受信機でこの方法を実行でき、特別な構成要素を必要としない、ことで優位性がある。
【００１４】
好ましくは、少なくとも１つの検出フィールドでの受信ビームの第１の入射位置は評価装置により第１の時点における第１の高さ位置として、後の第２の時点における第２の入射位置は第２の高さ位置として記憶保存され、受信ビームの調整方向が評価装置により第１及び第２の高さ位置から判定される。レーザー受信機の検出フィールドが受信ビームを検出するまで、回転レーザー装置は、回転プラットフォームにより回転軸の周りを回る回転方向に調整される。続けて、回転レーザー装置の回転軸の周りの回転が継続する。回転レーザー装置が回転軸を回転する間に、検出フィールドでの受信ビームの第１及び第２の入射位置が評価装置により特定される。レーザー受信機は長手方向に測定機能を装備しており、測定機能は検出フィールドのゼロ位置に対する垂直レーザー面の位置を測定する。第１の入射位置から検出フィールドのゼロ位置までの距離は、第１の高さ位置Ｈ１と特定する。第２の入射位置から検出フィールドのゼロ位置までの距離は、第２の高さ位置Ｈ２と特定する。受信ビームの調整方向は検出フィールドの長手方向と平行であり、第１及び第２の高さ位置の差（△＝Ｈ２−Ｈ１）は受信ビームの調整方向の方向（正方向又は負方向）を決定する。
【００１５】
本発明の方法の次なる工程は、評価装置がレーザー受信機に対する受信ビームの調整方向を第１及び第２の高さ位置から決定できるか否かに基づく。受信ビームの調整方向に基づき、本発明の方法により、回転しない外部からのビームと反射によるレーザービームとを回転レーザービームと区別することができる。
【００１６】
受信ビームがレーザー受信機の評価装置により外部からのビームとして分類されるのは、受信ビームの第１と第２の高さ位置が実質的に一致する場合である。回転レーザー装置の回転レーザービームと異なる如何なるビームも外部からのビームとされる。回転しない外部からのビームについて、検出フィールドに受信ビームにより形成される第１及び第２の高さ位置は実質的に一致し、レーザー受信機の評価装置は第１及び第２の高さ位置からレーザー受信機に対する受信ビームの調整方向を判定することができない。
【００１７】
受信ビームの第１の高さ位置と第２の高さ位置とが異なる場合、受信ビームの調整方向がレーザー受信機の評価装置に判定される。ここで、第１と第２の高さ位置の差（△＝Ｈ２−Ｈ１）がゼロより大きい場合は受信ビームの調整方向が正方向として判定される。第１と第２の高さ位置の差（△＝Ｈ２−Ｈ１）がゼロより小さい場合、受信ビームの調整方向が負方向として判定される。
【００１８】
本発明の方法の次なる工程は、受信ビームの調整方向と回転プラットフォームの回転方向が同一方向か、又は反対方向になるか否かに基づく。本発明の方法は、２つの変形態様に分けられる。第１の変形態様においては、受信ビームの調整方向と回転プラットフォームの回転方向とが同一方向である。第２の変形態様においては、受信ビームの調整方向と回転プラットフォームの回転方向とが反対方向である。
【００１９】
受信ビームの調整方向と回転プラットフォームの回転方向とが同一方向に向いている場合、受信ビームはレーザー受信機の評価装置により回転レーザービームと分類される。回転レーザー装置は回転レーザービームを回転軸の周りの所定の回転方向に進行させ、回転プラットフォームは回転レーザー装置を回転軸の周りを回る既知の回転方向に動かす。反射面で反射することなく回転レーザービームがレーザー受信機に受信ビームとして入射する場合、受信ビームの調整方向は回転プラットフォームの既知の回転方向と同一方向になる。本発明の方法において、受信ビームの調整方向と回転プラットフォームの回転方向が同一方向の場合、レーザー受信機の評価装置により受信ビームが回転レーザービームと常に分類される。
【００２０】
回転レーザービームの反射が偶数回の場合、受信ビームの調整方向も同様に回転プラットフォームの所定の回転方向と同方向になり、回転レーザービームの反射が偶数回の場合に発せられる受信ビームは評価装置により誤って回転レーザービームと分類される。回転レーザー装置及びレーザー受信機の実用的な用途において、反射面での回転レーザービームの単純反射は誤測定の最も一般的な原因である。したがって、本発明の方法は誤測定のリスクを低減させるものの、完全に防ぐことはできない。
【００２１】
レーザー受信機は評価装置により測定モードに切り替えられ、測定モードではレーザー受信機の検出フィールドでの受信ビームの高さ位置が特定される、ことが特に好ましい。到達した受信ビームがレーザー受信機の評価装置により回転レーザービームと分類された場合、レーザー受信機は所定の通り使用にすることができる。このために、評価装置によりレーザー受信機を測定モードに切り替えることができる。
【００２２】
受信ビームの調整方向と回転プラットフォームの回転方向が反対方向の場合、受信ビームはレーザー受信機の評価装置により反射レーザービームと分類される。回転レーザー装置は回転レーザービームを回転軸の周りを所定の回転方向に回るように進行させ、回転プラットフォームは回転レーザー装置を回転軸周りの所定の回転方向に動かす。回転レーザービームが反射面での反射後にレーザー受信機に受信ビームとして入射する場合、受信ビームの調整方向は回転プラットフォームの既知の回転方向と反対方向となる。本発明の方法において、レーザー受信機の評価装置により受信ビームが常に反射レーザービームと分類されるのは、受信ビームの調整方向と回転プラットフォームの回転方向とが反対方向の場合である。
【００２３】
回転レーザービームの反射が奇数回の場合も、受信ビームの調整方向も同様に回転プラットフォームの既知の回転方向と反対方向になり、回転レーザービームの反射が奇数回の場合に発せられる受信ビームは評価装置により正しく反射レーザービームと分類される。
【００２４】
本発明の方法において、回転レーザービームが形成する垂直レーザー面は回転プラットフォームにより調整される。レーザー受信機の評価装置は垂直レーザー面の調整方向を定め、調整方向と回転プラットフォームの回転方向を比較する。ここで、調整方向はレーザー受信機の位置に基づき、レーザー受信機を挟んで反対位置の調整方向は互いに反対方向であるということは重要である。レーザー受信機の回転レーザー装置に対する位置は、回転レーザービームにより特定し得る。
【００２５】
第１のさらに好ましい方法の態様において、回転レーザービームは、角度φが３６０°未満に限定される垂直レーザー面を形成する。ここで、限定された垂直レーザー面は、回転レーザー装置の回転モード又はスキャンモードで形成することができる。回転モードではレーザービームは繰り返し回転軸の周りを３６０°同じ回転方向に進行し、スキャンモードではレーザービームは回転軸の周りを制限された角度で、交互の回転方向に前進及び後進する。
【００２６】
方法の第１の変形態様において、回転レーザービームは回転軸の周りを３６０°回る回転方向に進行し、レーザービームは角度（φ）内でスイッチが入り、角度（φ）内でスイッチが切れる。第１の変形態様は、回転モードを有する回転レーザー装置に適している。
【００２７】
方法の第２の変形態様では、回転レーザービームが角度φ内で回転軸の周りを交互の回転方向に前進及び後進する。第２の変形態様は、スキャンモードを有する回転レーザー装置に適している。
【００２８】
方法の第２のさらに好ましい態様において、回転レーザービームは回転軸の周りを３６０°回るように回転方向に進行し、３６０°の角度は第１及び第２の角度範囲に再分割され、第１及び第２の角度範囲の回転レーザービームは１つの又は複数のビーム特性により区別される。本発明の方法の一つとして、レーザー受信機の評価装置は到達した受信ビームを分析する。第１及び第２の角度範囲で区別される回転レーザービームのビーム特性に基づき、評価装置は、レーザー受信機の検出フィールドが受信ビームに入射される角度範囲を特定することができる。
【００２９】
回転レーザービームは変調信号を用いて変調され、第１の角度範囲では第１の変調信号が、第２の角度範囲では第１の変調信号とは異なる第２の変調信号が用いられる、ことが好ましい。第１と第２の変調信号は、振幅、形状、及び／又は変調周波数において互いに異なる。本発明の方法の一つとして、レーザー受信機の評価装置は到達した受信ビームを分析し、受信ビームの変調した変調信号を特定することができる。変調信号に基づき、評価装置は、レーザー受信機の検出フィールドが受信ビームに入射された角度範囲を判定することができる。
【００３０】
本発明において、レーザー受信機に入射する受信ビームと回転レーザービームとを比較するための方法を実施するため、回転軸の周りを回転方向に回転するレーザービームを発し、回転軸の周りで調整可能な回転プラットフォームに設置される回転レーザー装置と、評価装置及び少なくとも１つの検出フィールドとを有するレーザー受信機と、を備えた装置が提供される。回転レーザー装置は調節可能な回転プラットフォームに垂直位置に設置され、レーザー受信機は横断方向配置に向けて設置される。構成要素については、以下が適用される。回転レーザー装置の回転軸及び検出フィールドの長手方向は重力方向と実質的に垂直に向けられ、回転プラットフォームの回転軸及び検出フィールドの横断方向は重力方向と実質的に平行に向けられ、回転レーザービームは重力方向と平行にな垂直レーザー面を形成する。
【００３１】
レーザー受信機は、重力場の重力方向に対するレーザー受信機の傾斜を計測する傾斜センサを有する、ことが特に好ましい。この傾斜センサは、レーザー受信機の向きを明確に特定するために使用され得る。本発明の方法を実施する際、レーザー受信機は横断方向に方向付けられ、横断方向に配置された検出フィールドの横断方向は重力方向と平行であり、横断方向に配置された検出フィールドの長手方向は重力方向と垂直である。検出フィールドの横断方向と重力方向とは、同一方向又は反対方向でよい。この傾斜センサを用いて、「同じ向き」及び「反対向き」という２つの向きを互いに区別することができる。
【００３２】
回転プラットフォームとレーザー受信機とは通信接続経由で通信目的に接続することができ、レーザー受信機の評価装置と回転プラットフォームの制御装置の通信が実現することが特に好ましい。本発明の方法を実行する際、レーザー受信機の評価装置は、第１及び第２の高さ位置から、レーザー受信機に対する受信ビームの調整方向を特定し、受信ビームの調整方向と回転プラットフォームの回転方向とを比較する。回転プラットフォームの回転方向は通信接続経由でレーザー受信機の評価装置に送信することができ、本発明の方法は自動的に実施することができる。
【００３３】
以下で本発明の実施例を図面により説明する。これは、実施例を縮小して記載することを意図したものではなく、説明目的で有用となるように図面に概略的及び／又は若干の変更を加えて描かれている。本発明の要旨から逸脱することがなければ、実施例の形態及び詳細に様々な変更を加えることができるということは重要である。本発明の要旨は以下で示され、記載された好ましい実施例のそのままの形態又は詳細に限定されることはなく、かつ請求項に記載された技術的特徴との比較において、限定されていることもあり得る技術的特徴に限定されることもない。提示されている寸法範囲内については、記載された制限内の値は、制限値として開示されたものであり、所望に応じて使用しても記載してもよい。簡潔にするため、以下では同じ参照番号が同一若しくは類似の要素又は同一若しくは類似の機能に付与されている。
【００３４】
図は以下の通りである。
【図面の簡単な説明】
【００３５】
【図１】回転レーザー装置とレーザー受信機とを有する装置を示す図である。
【図２】図１の回転レーザー装置及びレーザー受信機を示し、回転レーザー装置は垂直位置に方向付けられ、レーザー受信機は横断方向配置に方向付けられた三次元図である。
【図３】レーザー受信機の構造及び回転レーザー装置との相互作用を示す構成図である。
【図４】レーザー受信機に入射する受信ビームと回転レーザー装置の回転レーザービームとを比較する本発明の方法を実行する、図１の装置を示す図である。
【図５】回転レーザー装置の回転レーザービームがレーザー受信機の検出フィールドに形成する、第１及び第２の入射位置を示す図である。
【図６】回転レーザー装置の回転レーザービームが、反射面での反射後に、レーザー受信機の検出フィールドに形成する、第１及び第２の入射位置を示す図である。
【図７】回転しない外部からのビームとして形成される受信ビームがレーザー受信機の検出フィールドに形成する、第１及び第２の入射位置を示す図である。
【発明を実施するための形態】
【００３６】
図１は、回転レーザー装置１１と、通信接続１３経由で接続可能なレーザー受信機１２とを有する装置１０を示す。この通信接続１３は、ワイヤレス通信接続又は有線の通信接続として構成される。回転レーザー装置１１は垂直位置に方向付けられ、この垂直位置は回転レーザー装置１１の垂直方向での応用技術のために配置される。レーザー受信機１２は横断方向配置に配置される。装置１０は、レーザー受信機１２に入射する受信ビームと回転レーザー装置１１の回転レーザービームとを比較する本発明の方法を実施するために配置される。
【００３７】
回転レーザー装置１１は電動回転プラットフォーム１４に設置され、この回転プラットフォーム１４は回転レーザー装置１１の回転方向１６における回転軸１５周りの自動角度調節を可能とする。さらに、高さ調整装置１７が、回転レーザー装置１１の高さ方向１８での自動高さ調節を可能とするように設けられ得る。回転プラットフォーム１４と高さ調整装置１７とは互いに接続される別部品として構成しても、又は回転プラットフォーム１４と高さ調整装置１７を統合して三脚に組み込んでもよい。回転レーザー装置１１は水平及び垂直方向で使用可能であり、回転レーザー装置１１の回転軸２１の周りを回る回転レーザービーム２２を発する。回転レーザービーム２２は回転軸２１の周りを回転方向２３に回転し、回転軸２１に垂直に配置されるレーザー面を形成する。
【００３８】
レーザー受信機１２には高さ測定機能が装備されている。この高さ測定機能は、レーザー受信機１２の検出フィールド２５における受信ビーム２４の入射位置を特定し、受信ビーム２４から検出フィールド２５のゼロ位置２６までの距離を高さ位置として示す。レーザー受信機１２の向きは、検出フィールド２５及び重力場の重力方向２７により定義される。レーザー受信機１２の検出フィールド２５は、その長手方向２８が検出高さで、横断方向２９が検出幅である。長手方向２８はレーザー受信機１２の測定方向に対応し、横断方向２９は長手方向２５に垂直である。レーザー受信機１２の向きが長手方向配置と定義される場合、検出フィールド２５の長手方向２８が重力方向２７と平行に方向付けられ、且つ検出フィールド２５の横断方向２９が重力方向２７に垂直と方向付けられる。さらに、レーザー受信機１２の向きが横断方向配置と定義される場合、検出フィールド２５の長手方向２８が重力方向２７と垂直に方向付けられ、且つ検出フィールド２５の横断方向２９が重力方向２７に平行と方向付けられる。
【００３９】
図２は図１の回転レーザー装置１１及びレーザー受信機１２を３次元図で示し、回転レーザー装置１１及びレーザー受信機１２が本発明の方法の実行のために垂直位置又は横断方向配置に方向付けられている。
【００４０】
回転レーザー装置１１は、装置ハウジング３１と装置ハウジング３１に配置された測定装置とを備える。この装置ハウジング３１は、基礎ハウジング３２と、回転ヘッド３３と、複数のハンドル３４とから成る。回転レーザー装置１１の操作は操作装置３５により行われる。この操作装置３５は基礎ハウジングに３２組み込まれ、外部から操作が可能である。基礎ハウジング３２に組み込まれた操作装置３５の他に、遠隔操作装置３６を配置してもよい。この遠隔操作装置３６は、回転レーザー装置１１に通信接続経由で接続できるよう配置できる。基礎ハウジング３２内で回転レーザー装置１１の測定装置がレーザービームを生成し、レーザービームは、回転軸１８の周りを回転する偏向レンズ３７に入射する。レーザービームは偏向レンズ３７により９０°偏向され、レーザー面を形成する回転レーザー装置１１の回転レーザービーム２２を形成する。回転レーザービーム２２は、回転レーザー装置１１の垂直位置において、垂直のレーザー面３９を形成する。
【００４１】
レーザー受信機１２は、受信器ハウジング４１と、操作装置４２と、光学ディスプレイ４３と、スピーカー４４と、検出フィールド２５とを備える。検出フィールド２５は、長手方向２８が検出高さＨＤで、横断方向２９が検出幅ＢＤである。操作装置４２、光学ディスプレイ４３、スピーカー４４、及び検出フィールド２５は、レーザー受信機１２の受信器ハウジング４１に組み込まれる。作業者は、光学ディスプレイ４３を見てレーザー受信機１２に関する情報を読むことができる。この情報には、例えば、レーザー受信機１２の充電状態、通信接続１３から回転レーザー装置１１への情報、及びスピーカー４４の設定音量が含まれる。さらに、受信ビーム２４からレーザー受信機１２のゼロ位置２６までの距離は視覚的に数値で表すことができる。光学ディスプレイ４３に代わるもの又は追加として、受信ビーム２４の距離はスピーカー４４経由で伝えることができる。検出フィールド２５のゼロ位置２６は、刻み目４５により受信器ハウジング４１に示すことができる。
【００４２】
図３は、レーザー受信機１２の構造の詳細及びレーザー受信機１２と回転レーザー装置１１の相互作用を示す構成図である。レーザー受信機１２と回転レーザー装置１１の通信は、通信接続１３経由で行うことができる。通信接続１３は、レーザー受信機１２の第１の送受信装置４６を回転レーザー装置１１の第２の送受信装置４７に接続する。第１及び第２の送受信装置４６、４７は、例えば、無線モジュールとして形成される。レーザー受信機１２と回転レーザー装置１１の通信は、無線接続として構成される通信接続１３経由で行われる。
【００４３】
検出フィールド２５、光学ディスプレイ４３、及びスピーカー４４は、受信器ハウジング４１内に設けられる評価装置４８に接続される。この評価装置４８は、レーザー受信機１２を制御するための制御部４９に接続されている。評価装置４８と制御装置４９は、例えば、マイクロチップコントローラーとして形成される監視装置５１として統合される。レーザー受信機１２は、傾斜センサ５２をさらに備えてもよい。この傾斜センサ５２は、受信器ハウジング４１内に設けられ、制御装置４１に接続される。この傾斜センサ５２を用いて、重力場の重力方向２７に対するレーザー受信機１２の傾斜を計測することができる。傾斜センサ５２は、例えば、１つの２軸加速度センサ又は２つの１軸加速度センサを備え得る。
【００４４】
図４は、受信ビーム２４と回転レーザービーム２２とを比較するための本発明の方法を実施する装置１０を示す。回転レーザー装置１１は垂直位置で回転プラットフォーム１４に配置され、レーザー受信機１２は横断方向配置に設置される。重力方向２７に対する装置１０の要素１１、１２、１４の向きについては、以下のようになる。すなわち、回転レーザー装置１１の回転軸２１及び検出フィールド２５の長手方向２８は重力方向２７と垂直に向き、回転プラットフォーム１４の回転軸１５及び検出フィールド２５の横断方向２９は重力方向２７と平行に向いている。回転レーザービーム２２は、重力方向２７と平行な垂直レーザー面３９を形成する。
【００４５】
回転レーザー装置１１は回転プラットフォーム１４により、回転軸１５の周りの回転方向１６に調整され、レーザー受信機１２の検出フィールド２５が受信ビームを検出するようになる。次に回転レーザー装置１１の回転軸１５の周りの回転は継続される。回転レーザー装置１１が回転軸１５の周りを回転している際に、検出フィールド２５での受信ビームの入射位置は、様々な時点において評価装置４８により判定される。
【００４６】
第１の時点ｔ１において、評価装置４８は、検出フィールド２５での受信ビームの入射位置を第１の入射位置６１として特定し、第１の入射位置６１から検出フィールド２５のゼロ位置２６までの距離を第１の高さ位置Ｈ１として記憶保存する。後の時点ｔ２において、評価装置４８は、検出フィールド２５での受信ビームの入射位置を第２の入射位置６２として特定し、第２の入射位置６２から検出フィールド２５のゼロ位置２６までの距離を第２の高さ位置Ｈ２として記憶保存する。評価装置４８は、第１及び第２の高さ位置Ｈ１、Ｈ２から、レーザー受信機１２に対する受信ビーム２４の調整方向６３を判定する。
【００４７】
図５は、第１及び第２の入射位置６１、６２を示し、これらは回転レーザー装置２１の回転レーザービーム２２が、レーザー受信機１２の検出フィールド２５に形成するものである。第１の入射位置６１から検出フィールド２５のゼロ位置２６までの距離は第１の距離Ｈ１、第２の入射位置６２から検出フィールド２５のゼロ位置２６までの距離は第２の距離Ｈ２である。受信ビーム２４の調整方向６３は、検出フィールド２５の長手方向２８と平行である。
【００４８】
レーザー受信機１２の評価装置４８は、第１及び第２の高さ位置Ｈ１、Ｈ２から、レーザー受信機１２に対する受信ビーム２４の調整方向６３を定め、受信ビーム２４の調整方向６３と回転プラットフォーム１４の回転方向１６とを比較する。受信ビーム２４の調整方向６３と回転プラットフォーム１４の回転方向１６は同じ方向であり、この受信ビーム２４はレーザー受信機１２の評価装置４８により回転レーザービーム２２として分類される。
【００４９】
図６は、第１及び第２の入射位置７１、７２を示し、これらは回転レーザービーム２２が、反射面における単純な反射の後に、レーザー受信機１２の検出フィールド２５に形成するものである。第１の入射位置７１から検出フィールド２５のゼロ位置２６までの距離は第１の距離、第２の入射位置７２から検出フィールド２５のゼロ位置２６までの距離は第２の距離であり、第１の距離を第１の高さ位置Ｈ１、第２の距離を第２の高さ位置Ｈ２とする。
【００５０】
第１及び第２の高さ位置Ｈ１、Ｈ２から、レーザー受信機１２の評価装置４８は、レーザー受信機１２に対する受信ビーム２４の調整方向７３を特定し、受信ビーム２４の調整方向７３と回転プラットフォーム１４の回転方向１６とを比較する。受信ビーム２４の調整方向７３と回転プラットフォーム１４の回転方向１６は反対方向であり、この受信ビーム２４はレーザー受信機１２の評価装置４８により反射レーザービームとして分類される。
【００５１】
検出フィールド２５での受信ビームの調整方向は、回転レーザービーム２２が反射面に単純に反射することにより反転する。この調整方向の反転を用いて、反射面に反射する回転レーザービームと回転レーザービームとを区別する。
【００５２】
図７は、第１及び第２の入射位置８１、８２を示し、これらは回転しない外部からのビームとして生成される受信ビーム２４により、レーザー受信機１２の検出フィールド２５に形成するものである。第１の入射位置８１から検出フィールド２５のゼロ位置２６までの距離は第１の距離、第２の入射位置８２から検出フィールド２５のゼロ位置２６までの距離は第２の距離であり、第１の距離を第１の高さ位置Ｈ１、第２の距離を第２の高さ位置Ｈ２とする。
【００５３】
レーザー受信機１２の評価装置４８は、第１と第２の高さ位置Ｈ１、Ｈ２の差を特定する。第１の入射位置８１は実質的に第２の入射位置８２に一致し、第１と第２の高さ位置Ｈ１、Ｈ２の差はゼロである。差がゼロの場合、レーザー受信機１２の評価装置４８は、レーザー受信機１２に対する受信ビーム２４の調整方向を判定することができない。受信ビーム２４が回転しない外部からのビームとして生成されているため、回転レーザー装置１１の回転軸１５の周りを回る回転は、検出フィールド２５上の受信ビーム２４の入射位置に影響しない。
【００５４】
本発明の方法を実施するため、回転レーザー装置１１は垂直位置に設置され、レーザー受信機１２は横断方向に配置される。回転レーザービーム２２が形成する垂直レーザー面３９は、回転プラットフォーム１４により回転プラットフォーム１４の回転軸１５の周りに調整される。レーザー受信機１２の評価装置４８は調整方向を定め、この調整方向と回転プラットフォーム１４の回転方向１６とを比較する。調整方向がレーザー受信機１２の位置に基づき、レーザー受信機１２を挟んで反対位置の調整方向は互いに反対方向にある、ということは重要である。回転レーザー装置１１に対するレーザー受信機１２の位置は、回転レーザービーム２２を用いて特定できる。
【００５５】
回転レーザービームは、角度φが３６０°度未満に限定された垂直レーザー面を形成し、１８０°未満の角度が角度φに特に適している。回転レーザー装置１１は、ゼロ角度と定義される回転角度から回転軸２１の周りの回転を始める。ゼロ角度を起点に、０°から＋１８０°の正角度範囲及び０°から−１８０°の負角度範囲を規定できる。
【００５６】
これに代えて、回転レーザービームは回転軸２１の周りを３６０°回転して進行し、その３６０°の角度が第１と第２の角度範囲に再分割され、例えば、０°から＋１８０°の正角度範囲を第１の角度範囲、及び０°から−１８０°の負角度範囲を第２の角度範囲と定義することができる。第１と第２の角度範囲を区別するために、回転レーザービームは少なくとも１つの異なるビーム特性を第１及び第２の角度範囲で有する。第１及び第２の角度範囲で異なる回転レーザービーム２２のビーム特性に基づき、レーザー受信機１２の評価装置４８は、レーザー受信機１２の受信ビーム２４が入射する検出フィールド２５における角度範囲を特定することができる。
【００５７】
変調信号は、例えば、第１と第２の角度範囲の区別に用いることができるビーム特性として適している。ここで、第１の変調信号は第１の角度範囲で用いられ、第１の変調信号と異なる第２の変調信号は第２の角度範囲で用いられる。第１と第２の変調信号は、振幅、形状、及び／又は変調周波数において互いに異なっている。本発明の方法の一つとして、レーザー受信機１２の評価装置４８は到達する受信ビーム２４を分析し、受信ビーム２４の変調された変調信号を判定することができる。この変調信号により、評価装置４８は、受信信号２４が入射したレーザー受信機１２の検出フィールド２５の角度範囲を判定することができる。
【図１】
2019519788.tif 000003
【図２】
2019519788.tif 000004
【図３】
2019519788.tif 000005
【図４】
2019519788.tif 000006
【図５】
2019519788.tif 000007
【図６】
2019519788.tif 000008
【図７】
2019519788.tif 000009
【国際調査報告】
2019519788.tif 000010
2019519788.tif 000011
2019519788.tif 000012
2019519788.tif 000013